(57)【要約】  本明細書で説明する様々な態様は、協調マルチポイント(CoMP)ワイヤレス通信システムにおける通信のための技法に関する。一態様では、ワイヤレス通信の方法は、ユーザ機器(UE)に対する送受信点(TRP)のCoMPクラスタセットを形成することを求める要求を受信するステップと、少なくとも遅延バジェットおよび信頼性要件、ならびに構成情報および測定値のうちの1つまたは複数に基づいて、UEに対するTRPのCoMPクラスタセットを判定するステップと、CoMPクラスタセットを使用してUEに対する通信を協調させるステップとを含み得る。本明細書で説明する技法は、第5世代(5G)新無線(NR)通信技術を含む、様々な通信技術に適用され得る。
2021515458.tif 000002
【特許請求の範囲】
【請求項１】
ワイヤレス通信のための方法であって
ユーザ機器(UE)に対する送受信点(TRP)の協調マルチポイント(CoMP)クラスタセットを形成することを求める要求を受信するステップと、
少なくとも遅延バジェットおよび信頼性要件、ならびに構成情報および測定値のうちの1つまたは複数に基づいて、前記UEに対するTRPの前記CoMPクラスタセットを判定するステップと、
前記CoMPクラスタセットを使用して前記UEに対する通信を協調させるステップと
を含む、方法。
【請求項２】
前記要求が、前記UE、TRP、無線アクセスネットワーク(RAN)内のエンティティ、中央装置、分散ユニット、コアネットワーク内のエンティティ、または運用および管理(OAM)エンティティのうちの1つまたは複数から受信される、請求項1に記載の方法。
【請求項３】
前記遅延バジェットが、エンドツーエンドレイテンシ要件、ジッタ要件、ラウンドトリップタイム要件、または生存時間要件のうちの1つまたは複数に基づく、請求項1または2に記載の方法。
【請求項４】
前記信頼性要件が、パケットエラーレート(PER)要件または通信サービス可用性要件のうちの1つまたは複数に基づく、請求項1から3のいずれか一項に記載の方法。
【請求項５】
前記信頼性要件が、パケットごとの、通信のために使用される無線ベアラに関連する生存時間、1つまたは複数の先行パケットのパケットエラーの数、または先行パケット内の連続パケットエラーの数のうちの1つまたは複数に基づく、請求項1から4のいずれか一項に記載の方法。
【請求項６】
前記UEに対して許可された後続の再送信の数、構成情報および測定値、遅延バジェットまたは信頼性要件のうちの1つまたは複数に基づいて、TRPの前記CoMPクラスタセットを調整するステップ
をさらに含む、請求項1から5のいずれか一項に記載の方法。
【請求項７】
TRPの前記CoMPクラスタセットが、スロット構造、UE処理遅延、TRP処理遅延、バックホールレイテンシのうちの1つまたは複数に基づく調整を使用して判定される、請求項6に記載の方法。
【請求項８】
前記調整が、前記遅延バジェットが1つまたは複数の後続の再送信を許可するとき、前記CoMPクラスタセット内のTRPの数の低減である、請求項7に記載の方法。
【請求項９】
前記調整が、前記遅延バジェットが1つまたは複数の後続の再送信を許可しないとき、前記CoMPクラスタセット内のTRPの数の増大である、請求項7に記載の方法。
【請求項１０】
前記構成情報および測定値が、現在のチャネル測定値または長期チャネル測定値のうちの1つまたは複数を含み、前記現在のチャネル測定値が、前記UEに関連する、経路損失、チャネル状態情報(CSI)、同期信号測定値または基準信号測定値のうちの1つまたは複数を含み、前記長期チャネル測定値が、前記UEに関連する、過去の経路損失、チャネル状態情報(CSI)、同期信号測定値または基準信号測定値のうちの1つまたは複数を含む、請求項6に記載の方法。
【請求項１１】
前記CSIが、チャネル品質インジケータ(CQI)、プリコーディング行列インジケータ(PMI)、プリコーディングタイプインジケータ(PTI)、またはランク指示(RI)のうちの1つまたは複数を含む、請求項10に記載の方法。
【請求項１２】
前記同期信号測定値が、1次同期信号(PSS)測定値または2次同期信号(SSS)測定値のうちの1つまたは複数を含む、請求項10に記載の方法。
【請求項１３】
前記基準信号測定値が、基準信号受信電力(RSRP)測定値、基準信号受信品質(RSRQ)測定値、または受信信号強度インジケータ(RSSI)のうちの1つまたは複数を含む、請求項10に記載の方法。
【請求項１４】
ワイヤレス通信のためのネットワークエンティティであって、
メモリと、
前記メモリに通信可能に結合されたプロセッサと
を含み、前記プロセッサが、
ユーザ機器(UE)に対する送受信点(TRP)の協調マルチポイント(CoMP)クラスタセットを形成することを求める要求を受信し、
少なくとも遅延バジェットおよび信頼性要件、ならびに構成情報および測定値のうちの1つまたは複数に基づいて、前記UEに対するTRPの前記CoMPクラスタセットを判定し、
前記CoMPクラスタセットを使用して前記UEに対する通信を協調させる
ように構成される、ネットワークエンティティ。
【請求項１５】
前記要求が、前記UE、TRP、無線アクセスネットワーク(RAN)内のエンティティ、中央装置、分散ユニット、コアネットワーク内のエンティティ、または運用および管理(OAM)エンティティのうちの1つまたは複数から受信される、請求項14に記載のネットワークエンティティ。
【請求項１６】
前記遅延バジェットが、エンドツーエンドレイテンシ要件、ジッタ要件、ラウンドトリップタイム要件、または生存時間要件のうちの1つまたは複数に基づく、請求項14または15に記載のネットワークエンティティ。
【請求項１７】
前記信頼性要件が、パケットエラーレート(PER)要件または通信サービス可用性要件のうちの1つまたは複数に基づく、請求項14から16のいずれか一項に記載のネットワークエンティティ。
【請求項１８】
前記信頼性要件が、パケットごとの、通信のために使用される無線ベアラに関連する生存時間、1つまたは複数の先行パケットのパケットエラーの数、または先行パケット内の連続パケットエラーの数のうちの1つまたは複数に基づく、請求項14から17のいずれか一項に記載のネットワークエンティティ。
【請求項１９】
前記プロセッサが、
前記UEに対して許可された後続の再送信の数、構成情報および測定値、遅延バジェットまたは信頼性要件のうちの1つまたは複数に基づいて、TRPの前記CoMPクラスタセットを調整する
ように構成される、請求項14から18のいずれか一項に記載のネットワークエンティティ。
【請求項２０】
TRPの前記CoMPクラスタセットが、スロット構造、UE処理遅延、TRP処理遅延またはバックホールレイテンシのうちの1つまたは複数に基づく調整を使用して判定される、請求項19に記載のネットワークエンティティ。
【請求項２１】
前記調整が、前記遅延バジェットが1つまたは複数の後続の再送信を許可するとき、前記CoMPクラスタセット内のTRPの数の低減である、請求項20に記載のネットワークエンティティ。
【請求項２２】
前記調整が、前記遅延バジェットが1つまたは複数の後続の再送信を許可しないとき、前記CoMPクラスタセット内のTRPの数の増大である、請求項20に記載のネットワークエンティティ。
【請求項２３】
前記構成情報および測定値が、現在のチャネル測定値または長期チャネル測定値のうちの1つまたは複数を含み、前記現在のチャネル測定値が、前記UEに関連する、経路損失、チャネル状態情報(CSI)、同期信号測定値または基準信号測定値のうちの1つまたは複数を含み、前記長期チャネル測定値が、前記UEに関連する、過去の経路損失、チャネル状態情報(CSI)、同期信号測定値または基準信号測定値のうちの1つまたは複数を含む、請求項19に記載のネットワークエンティティ。
【請求項２４】
前記CSIが、チャネル品質インジケータ(CQI)、プリコーディング行列インジケータ(PMI)、プリコーディングタイプインジケータ(PTI)、またはランク指示(RI)のうちの1つまたは複数を含む、請求項23に記載のネットワークエンティティ。
【請求項２５】
前記同期信号測定値が、1次同期信号(PSS)測定値または2次同期信号(SSS)測定値のうちの1つまたは複数を含む、請求項23に記載のネットワークエンティティ。
【請求項２６】
前記基準信号測定値が、基準信号受信電力(RSRP)測定値、基準信号受信品質(RSRQ)測定値、または受信信号強度インジケータ(RSSI)のうちの1つまたは複数を含む、請求項23に記載のネットワークエンティティ。
【請求項２７】
ワイヤレス通信のためのネットワークエンティティであって、
ユーザ機器(UE)に対する送受信点(TRP)の協調マルチポイント(CoMP)クラスタセットを形成することを求める要求を受信するための手段と、
少なくとも遅延バジェットおよび信頼性要件、ならびに構成情報および測定値のうちの1つまたは複数に基づいて、前記UEに対するTRPの前記CoMPクラスタセットを判定するための手段と、
前記CoMPクラスタセットを使用して前記UEに対する通信を協調させるための手段と
を含む、ネットワークエンティティ。
【請求項２８】
前記UEに対して許可された後続の再送信の数、構成情報および測定値、遅延バジェットまたは信頼性要件のうちの1つまたは複数に基づいて、TRPの前記CoMPクラスタセットを調整するための手段をさらに含む、請求項27に記載のネットワークエンティティ。
【発明の詳細な説明】
【技術分野】
【０００１】
優先権の主張
本出願は、参照によりその全体が本明細書に組み込まれている、「CLUSTER-SET DETERMINATION FOR COMP BASED ON RELIABILITY AND DELAY BUDGET IN URLLC」と題する、2018年3月7日に出願した、米国仮出願第62/639,593号、および「CLUSTER-SET DETERMINATION FOR COMP BASED ON RELIABILITY AND DELAY BUDGET IN URLLC」と題する、2019年3月6日に出願した、米国特許出願第16/294,080号の利益を主張するものである。
【０００２】
本開示の態様は、概して、ワイヤレス通信システムに関し、より詳細には、超高信頼低遅延通信(URLLC:ultra-reliable-low latency communications)において信頼性要件および遅延バジェットに基づいて協調マルチポイント(CoMP:coordinated multi-point)に対するクラスタセットを判定することに関する。
【背景技術】
【０００３】
ワイヤレス通信システムは、音声、ビデオ、パケットデータ、メッセージング、放送などの様々な種類の通信コンテンツを提供するために広く展開されている。これらのシステムは、利用可能なシステムリソース(たとえば、時間、周波数、および電力)を共有することによって、複数のユーザとの通信をサポートすることが可能な多元接続システムであり得る。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)を含む。
【０００４】
これらの多元接続技術は、異なるワイヤレスデバイスが都市、国家、地域、さらには地球規模で通信することを可能にする共通プロトコルを提供するために様々な電気通信規格において採用されている。例示的な電気通信規格は、ロングタームエボリューション(LTE)またはLTEアドバンスト(LTE-A)である。LTE-A ネットワークでは、協調マルチポイント(CoMP)動作は、たとえば、セルエッジにおいてネットワーク性能を改善するために導入される。CoMPでは、いくつかの送信(TX)点がダウンリンク内で協調送信を提供し、いくつかの受信(RX)点がアップリンク内で協調受信を提供し、協調は、同種ネットワークならびに異種ネットワークの両方に対して行われ得る。しかしながら、LTEまたはLTE-Aシステムなどのより新しい多元接続システムは、古い技術よりも、より速いデータスループットを実現するが、そのような増加したダウンリンクレートは、モバイルデバイス上でまたはモバイルデバイスを用いて使用する場合、高解像度グラフィックスおよびビデオなど、より高い帯域幅のコンテンツに対するより高い需要をトリガした。したがって、ワイヤレス通信システムでの帯域幅、より高いデータレート、より良い送信品質ならびにより良いスペクトル利用、およびより低いレイテンシに対する需要は、増加し続けている。
【０００５】
広範囲のスペクトルにおいて使用される第5世代(5G)新無線(NR)通信技術は、現在のモバイルネットワーク世代に対して多様な使用シナリオおよび適用例を拡大することおよびサポートすることが予測される。一態様では、5G NR通信技術は、たとえば、マルチメディアコンテンツ、サービスおよびデータにアクセスするために人間中心の使用事例に対処する拡張モバイルブロードバンド(eMBB:enhanced mobile broadband)、特にレイテンシおよび信頼性の点で厳格な要件を伴う超高信頼低遅延通信(URLLC:ultra-reliable low-latency communications)、ならびに非常に多数の接続デバイスおよび相対的に低容量の即時検知情報(non-delay-sensitive information)の送信を許可する大規模マシン型通信(mMTC:massive machine type communications)を含んでよい。一態様では、様々な展開および/または適用のために、5G NR通信技術は、拡張されたサブフレーム設計および構造、ならびに効率的な波形変調およびコーディング方式を使用し得る。加えて、モバイルブロードバンドアクセスに対する需要が増加し続けるにつれて、5G通信技術以降においてさらなる改善が必要である。
【０００６】
たとえば、NR通信技術以降の場合、従来のクラスタセット判定解決策は、ユーザ機器(UE)に対して遅延バジェットおよび信頼性要件を明らかにする効率的なクラスタセット判定に所望されるレベルの速度またはカスタム化を提供することができない。したがって、UEに対して遅延バジェットおよび信頼性要件を明らかにする改善がワイヤレス通信動作において所望され得る。
【発明の概要】
【課題を解決するための手段】
【０００７】
以下は、そのような態様の基本的理解を与えるために、1つまたは複数の態様の簡略化された概要を提示する。本概要は、すべての企図される態様の包括的な概説ではなく、すべての態様の主要または重要な要素を識別するものでもなく、いずれかまたはすべての態様の範囲を定めるものでもない。その目的は、後で提示するより詳細な説明の前置きとして、1つまたは複数の態様のいくつかの概念を簡略化された形で提示することである。
【０００８】
一例によれば、ワイヤレス通信システムにおいて遅延バジェットおよび信頼性要件に基づいて協調マルチポイント(CoMP)に対するクラスタセットを判定することに関する方法が提供される。この方法は、ユーザ機器(UE)に対する送受信点(TRP:transmit/receive points)のCoMPクラスタセットを形成することを求める要求を受信するステップと、少なくとも遅延バジェットおよび信頼性要件、ならびに構成情報および測定値のうちの1つまたは複数に基づいて、UEに対するTRPのCoMPクラスタセットを判定するステップと、CoMPクラスタセットを使用してUEに対する通信を協調させるステップとを含む。この方法は、TRPなどのネットワークエンティティによって実行され得る。
【０００９】
別の態様では、ワイヤレス通信システムにおいて遅延バジェットおよび信頼性要件に基づいてCoMPに対するクラスタセットを判定するための装置が提供される。この装置は、メモリと、メモリに通信可能に結合されたプロセッサとを含む。このプロセッサは、UEに対するTRPのCoMPクラスタセットを形成することを求める要求を受信し、少なくとも遅延バジェットおよび信頼性要件、ならびに構成情報および測定値のうちの1つまたは複数に基づいて、UEに対するTRPのCoMPクラスタセットを判定し、CoMPクラスタセットを使用してUEに対する通信を協調させるように構成される。この装置は、TRPなどのネットワークエンティティであり得る。
【００１０】
別の態様では、ワイヤレス通信システムにおける遅延バジェットおよび信頼性要件に基づいてCoMPに対するクラスタセットを判定するための装置が提供される。この装置は、UEに対するTRPのCoMPクラスタセットを形成することを求める要求を受信するための手段と、少なくとも遅延バジェットおよび信頼性要件、ならびに構成情報および測定値のうちの1つまたは複数に基づいて、UEに対するTRPのCoMPクラスタセットを判定するための手段と、CoMPクラスタセットを使用してUEに対する通信を協調させるための手段とを含む。この装置は、TRPなどのネットワークエンティティであり得る。
【００１１】
別の態様では、ワイヤレス通信システムにおいて遅延バジェットおよび信頼性要件に基づいて、CoMPに対するクラスタセットを判定するためにネットワークエンティティのプロセッサによって実行可能なコンピュータコードを記憶した非一時的コンピュータ可読媒体が提供される。このコンピュータ可読媒体は、UEに対するTRPのCoMPクラスタセットを形成することを求める要求を受信するように実行可能な1つまたは複数のコードと、少なくとも遅延バジェットおよび信頼性要件、ならびに構成情報および測定値のうちの1つまたは複数に基づいて、UEに対するTRPのCoMPクラスタセットを判定するように実行可能な1つまたは複数のコードと、CoMPクラスタセットを使用してUEに対する通信を協調させるように実行可能な1つまたは複数のコードとを含み得る。ネットワークエンティティは、TRPであってよい。
【００１２】
上記の目的および関係する目的の達成のために、1つまたは複数の態様は、以下で十分に説明されるとともに特に特許請求の範囲の中で指摘される特徴を備える。以下の説明および添付の図面は、1つまたは複数の態様のいくつかの例示的な特徴を詳細に記載する。しかしながら、これらの特徴は、様々な態様の原理が採用され得る様々な方法のうちのいくつかを示すものにすぎず、この説明は、そのようなすべての態様およびそれらの均等物を含むものとする。
【００１３】
本明細書で説明する態様のより完全な理解を容易にするために、ここで、同様の要素が同様の数字を用いて参照される添付の図面について言及する。これらの図面は、本開示を限定するものと解釈されるべきではなく、例示的なものにすぎないものとする。
【図面の簡単な説明】
【００１４】
【図１】現在説明する態様のうちの1つまたは複数による、TRPのCoMPクラスタセットを判定し、CoMPクラスタセットを使用してユーザ機器(UE)に対する通信を協調させるように構成されたUEと通信中の少なくとも2つの送受信点(TRP)を含む例示的な通信ネットワークのブロック図である。
【図２Ａ】現在説明する態様のうちの1つまたは複数による、UEに対して2つのTRPのCoMPクラスタセットを有する、UEとの例示的な通信ネットワークの図である。
【図２Ｂ】現在説明する態様のうちの1つまたは複数による、UEに対して4つのTRPのCoMPクラスタセットを有する、UEとの例示的な通信ネットワークの図である。
【図３】現在説明する態様のうちの1つまたは複数による、信頼性および遅延バジェットに基づいてCoMPクラスタセットを判定するための例示的な方法の流れ図である。
【図４】現在説明する態様のうちの1つまたは複数による、図1のUEの例示的構成要素の概略図である。
【発明を実施するための形態】
【００１５】
ワイヤレス通信ネットワーク(たとえば、LTEネットワーク、または5G NRネットワーク)において、協調マルチポイント(CoMP)動作は、たとえば、セルエッジユーザに対して、システムまたはネットワークの信頼性および性能を改善するために使用され得る。CoMP動作または方法のカテゴリーは、3GPP TR 36.819において論じられ、協調スケジューリング、協調ビームフォーミング、ジョイント処理などを含む。CoMP動作を使用するいくつかの実装形態では、CoMPクラスタセット内の送受信点(TRP)は、UEの遅延バジェットおよび信頼性要件を使用して判定され得る。たとえば、TRPまたはコントローラなどのネットワークエンティティは、UEに対するTRPのCoMPクラスタセットを形成することを求める要求を受信する。ネットワークエンティティは、少なくとも遅延バジェットおよび信頼性要件、ならびに構成情報および測定値のうちの1つまたは複数に基づいて、UEに対するTRPのCoMPクラスタセットを判定し、CoMPクラスタセットを使用してUEに対する通信を協調させる。構成情報および測定値は、UEによってネットワークエンティティに提供され得る。構成情報および測定値は、別のネットワークエンティティ(たとえば、ホーム加入者サーバ(HSS)、運用および管理(OAM)エンティティ、統合データ管理(UDM機能など))によって提供され得るか、または手動で構成され得る。遅延バジェットおよび信頼性要件は、手動で構成されてよく、別のネットワークエンティティ(たとえば、HSS、OAM、UDMなど)によって提供されてよく、または(たとえば、アクティブ化デフォルトEPSベアラコンテキスト要求メッセージ、アクティブ専用EPSベアラコンテキスト要求メッセージ、修正EPSベアラコンテキスト要求メッセージ、または同様のメッセージ内で、発展型パケットシステム(EPS)サービス品質(QoS)情報要素を使用して)対応する非アクセス層(NAS:non-access stratum)シグナリングから取得されてよい。たとえば、3 GPP TS 24.301を参照されたい。
【００１６】
添付の図面に関して以下に記載する発明を実施するための形態は、様々な構成について説明するものであり、本明細書で説明する概念が実践され得る唯一の構成を表すものではない。詳細な説明は、様々な概念の完全な理解を与える目的で、具体的な詳細を含む。しかしながら、これらの概念はこれらの具体的な詳細なしに実践されてもよいことが、当業者には明らかであろう。場合によっては、そのような概念を不明瞭にすることを回避するために、よく知られている構成要素はブロック図の形で示されている。
【００１７】
次に、電気通信システムのいくつかの態様を、様々な装置および方法を参照しながら提示する。これらの装置および方法について、以下の詳細な説明において説明し、様々なブロック、モジュール、構成要素、回路、ステップ、プロセス、アルゴリズムなど(「要素」と総称される)によって添付の図面に示す。これらの要素は、電子ハードウェア、コンピュータソフトウェア、またはそれらの任意の組合せを使用して実装されることがある。そのような要素がハードウェアとして実装されるのかそれともソフトウェアとして実装されるのかは、特定の適用例および全体的なシステムに課される設計制約に依存する。
【００１８】
例として、要素、もしくは要素の任意の部分、または要素の任意の組合せは、1つまたは複数のプロセッサを含む「処理システム」を用いて実装され得る。プロセッサの例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明する様々な機能を実行するように構成された他の好適なハードウェアを含む。処理システムの中の1つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１９】
したがって、1つまたは複数の態様では、説明する機能は、ハードウェア、ソフトウェア、ファームウェア、またはそれらの任意の組合せにおいて実装され得る。ソフトウェアにおいて実装される場合、機能は、コンピュータ可読媒体上の1つまたは複数の命令またはコードとして記憶または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気記憶デバイス、または命令またはデータ構造の形式で所望のプログラムコードを搬送または記憶するために使用され得るとともに、コンピュータによってアクセスされ得る、任意の他の媒体を含み得る。本明細書で使用されるディスク(disk)およびディスク(disc)は、コンパクトディスク(disc)(CD)、レーザーディスク(登録商標)(disc)、光ディスク(disc)、デジタル多用途ディスク(disc)(DVD)、およびフロッピーディスク(disk)を含み、ディスク(disk)は通常データを磁気的に再生し、ディスク(disc)はデータをレーザで光学的に再生する。上記の組合せもまた、コンピュータ可読媒体の範囲内に含まれるべきである。
【００２０】
本明細書で説明する技法は、CDMA、TDMA、FDMA、OFDMA、SC-FDMA、および他のシステムなどの様々なワイヤレス通信ネットワークのために使用され得ることに留意されたい。「システム」および「ネットワーク」という用語は、しばしば、互換的に使用される。CDMAシステムは、CDMA2000、ユニバーサル地上無線アクセス(UTRA)などの無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広域CDMA(WCDMA(登録商標))およびCDMAの変種を含む。TDMAシステムは、モバイル通信用グローバルシステム(GSM)などの無線技術を実装し得る。OFDMAシステムは、ウルトラモバイルブロードバンド(UMB)、発展型UTRA(E-UTRA)、IEEE902.11(Wi-Fi)、IEEE902.16(WiMAX)、IEEE902.20、Flash-OFDM(商標)などの無線技術を実装し得る。UTRAおよびE-UTRAは、ユニバーサル移動通信システム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-A、およびGSMは、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述のシステムおよび無線技術、ならびに共有無線周波数スペクトル帯域を介したセルラー(たとえば、LTE)通信を含む他のシステムおよび無線技術のために使用され得る。しかしながら、以下の説明は例示を目的としてLTE/LTE-Aおよび/または5G新無線(NR)システムについて説明し、以下の説明の多くにおいてLTEまたは5G NR用語が使用されるが、本技法はLTE/LTE-Aおよび5G NR適用例以外に、たとえば、他の次世代通信システムに適用可能である。
【００２１】
以下の説明は、例を提供するものであり、特許請求の範囲に記載された範囲、適用可能性、または例を限定するものではない。本開示の範囲を逸脱することなく、論じる要素の機能および構成において変更が加えられてよい。様々な例は、適宜に、様々な手順または構成要素を省略してよく、置換してよく、または追加してもよい。たとえば、説明する方法は、説明する順序とは異なる順序で実行されてよく、様々なステップが、追加されてよく、省略されてよく、または組み合わせられてもよい。また、いくつかの例に関して説明する特徴は、他の例において組み合わせられてよい。
【００２２】
様々な態様または特徴は、いくつかのデバイス、構成要素、モジュールなどを含むことができるシステムに関して提示される。様々なシステムは、追加のデバイス、構成要素、モジュールなどを含むことがあり、かつ/または、図に関連して論じるデバイス、構成要素、モジュールなどのすべてを含まなくてもよいことを、理解および認識されたい。これらの手法の組合せも使用されてよい。
【００２３】
図1を参照すると、一態様では、ワイヤレス通信システム100は、少なくとも1つのTRP 14またはTRP20(たとえば、ネットワークエンティティ、基地局、またはgNBもしくはeNB、またはセル、またはそのgNBに関連する分散ユニット(DU))の通信カバレージ内に少なくとも1つのUE12を含む。UE12は、IPサービス176に対してTRP14および/またはTRP20を介してコアネットワーク160(たとえば、5Gコアネットワーク)と通信し得る。TRP14およびTRP20は、ワイヤード通信リンクまたはワイヤレス通信リンクであってよいバックホールリンク132(たとえば、S1など)を通してコアネットワーク160とインターフェースし得る。TRP14およびTRP20は、UE12との通信のための無線構成およびスケジューリングを実行し得る。様々な例では、TRP14およびTRP20は、ワイヤード通信リンクまたはワイヤレス通信リンクであり得るバックホールリンク132(たとえば、X1、X2、Xnなど)を介して、直接的または間接的(たとえば、コアネットワーク160を通して)のいずれかで互いに通信し得る。いくつかの態様では、TRPは、gNBに関連する中央装置(CU)、または無線アクセスネットワーク(RAN)内の中央スケジューラと通信し得る。いくつかの態様では、UE12を含む複数のUEは、それらの両方がCoMPクラスタセット24内に示されるTRP14およびTRP20を含む、1つまたは複数のネットワークエンティティとの通信カバレージ内にあり得る。一態様では、TRP14および/またはTRP20は、ロングタームエボリューション(LTE)ネットワーク内の基地局またはeNodeB/eNBなど、ネットワークエンティティであってよい。様々な態様がUMTS、LTEまたは5G NRネットワークに関して説明されるが、同様の原理が、他のワイヤレスワイドエリアネットワーク(WWAN)に適用されてもよい。ワイヤレスネットワークは、複数のTRP14/20が1つのチャネル上およびそれぞれのチャネル上でUE12と通信し得る方式を採用し得る。一例では、UE12は、TRP14および/またはTRP20にワイヤレス通信を送信してよく、かつ/またはTRP14および/またはTRP20からワイヤレス通信を受信してもよい。たとえば、UE12は、TRP14および/またはTRP20とアクティブに通信していてもよい。
【００２４】
いくつかの態様では、UE12はまた、当業者によって(ならびに本明細書において互換的に)、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアントと呼ばれるか、または他の何らかの適切な用語で呼ばれることもある。UE12は、セルラー電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)ステーション、全地球測位システム(GPS)デバイス、マルチメディアデバイス、ビデオデバイス、デジタルオーディオプレーヤ(たとえば、MP3プレーヤ)、カメラ、ゲーム機、ウェアラブルコンピューティングデバイス(たとえば、スマートウォッチ、スマートグラス、健康もしくはフィットネストラッカーなど)、電化製品、センサー、車両通信システム、医療デバイス、自動販売機、モノのインターネットのためのデバイス、または任意の他の同様の機能デバイスであってもよい。TRP14またはTRP20は、マクロセル、ピコセル、フェムトセル、リレー、ノードB、モバイルノードB、スモールセルボックス、UE(たとえば、ピアツーピアモードまたはアドホックモードでUE 12と通信している)、またはUE12においてワイヤレスネットワークアクセスを提供するためにUE12と通信し得る、実質的に任意のタイプの構成要素であってよい。
【００２５】
本態様によれば、TRP14/20は、UE CoMP管理構成要素42および/またはTRP CoMP管理構成要素44を制御して、CoMPクラスタセットを判定し、CoMPクラスタセットを使用してUE12に対する通信を協調させるために、CoMP管理構成要素40と協力して動作し得る、1つまたは複数のプロセッサ103とメモリ130とを含み得る。たとえば、UE CoMP管理構成要素42は、CoMPクラスタセット24を判定することができ、UE12に対してCoMPクラスタセット24を調整することができる。CoMPクラスタセット24は、UE12に対する、構成情報および測定値、遅延バジェットまたは信頼性要件に基づき得る。CoMPクラスタセット24に対する調整は、UE12に対して許可された後続の再送信の数、構成情報および測定値、遅延バジェットまたは信頼性要件のうちの1つまたは複数に基づき得る。構成情報および測定値は、現在のチャネル測定値または長期チャネル測定値を含み得る。チャネル測定値は、UE12に関連する、過去の経路損失、チャネル状態情報(CSI)、同期信号測定値、または基準信号測定値のうちの1つまたは複数を含み得る。CSIは、チャネル品質インジケータ(CQI)、プリコーディング行列インジケータ(PMI)、プリコーディングタイプインジケータ(PTI)、またはランク指示(RI)のうちの1つまたは複数を含み得る。同期信号測定値は、1次同期信号(PSS)測定値および/または2次同期信号(SSS)測定値を含み得る。基準信号測定値は、基準信号受信電力(RSRP)、受信信号強度インジケータ(RSSI)、基準信号受信品質(RSRQ)、または任意の他の基準信号測定値のうちの1つまたは複数を含み得る。遅延バジェットは、再送信を含めて、パケットの送信のための最大時間量であり得る。たとえば、URLLC遅延バジェットは、およそ0.5〜10msであってよい。遅延バジェットは、エンドツーエンドレイテンシ要件、ジッタ要件、ラウンドトリップタイム要件、または生存時間要件のうちの1つまたは複数に基づき得る。たとえば、3GPP TS 22.261を参照されたい。信頼性要件は、送信されたパケットが正確に受信される可能性であり得る。信頼性要件は、パケットエラーレート(PER)要件または通信サービス可用性のうちの1つまたは複数に基づき得る。たとえば、3GPP TS 22.261を参照されたい。信頼性要件は、パケットごとの、通信のために使用される無線ベアラに関連する生存時間、1つまたは複数の先行パケットのパケットエラーの数、または先行パケット内の連続パケットエラーの数のうちの1つまたは複数に基づき得る。別の例では、TRP CoMP管理構成要素44は、CoMPクラスタセット24を使用してUE12に対する通信を協調させることができる。
【００２６】
一態様では、本明細書で使用される「構成要素」という用語は、システムを構成する部品の1つであってもよく、ハードウェア、ファームウェア、および/またはソフトウェアであってもよく、他の構成要素に分割されてもよい。CoMP管理構成要素40は、RF信号を受信して処理するための受信機32と、RF信号を処理して送信するための送信機34とを含み得るトランシーバ106に通信可能に結合され得る。CoMP管理構成要素40は、CoMPクラスタセットを判定するため、および/またはCoMPクラスタセットのうちの1つを使用してUE12に対する通信を協調させるためのUE CoMP管理構成要素42および/またはTRP CoMP管理構成要素44を含み得る。プロセッサ103は、少なくとも1つのバス110を介してトランシーバ106およびメモリ130に結合され得る。
【００２７】
受信機32は、データを受信するためにプロセッサによって実行可能なハードウェア、ファームウェア、および/またはソフトウェアコードを含むことができ、コードは命令を備え、メモリ(たとえば、コンピュータ可読媒体)内に記憶される。受信機32は、たとえば、無線周波数(RF)受信機であってよい。一態様では、受信機32は、UE12、TRP14、および/またはTRP20によって送信された信号を受信し得る。受信機32は、信号の測定値を取得し得る。たとえば、受信機32はEc/Io、SNR等を判定することができる。
【００２８】
送信機34は、データを送信するためにプロセッサによって実行可能なハードウェア、ファームウェア、および/またはソフトウェアコードを含むことができ、コードは命令を備え、メモリ(たとえば、コンピュータ可読媒体)内に記憶される。送信機34は、たとえば、RF送信機であってよい。
【００２９】
一態様では、1つまたは複数のプロセッサ103は、1つまたは複数のモデムプロセッサを使用するモデム108を含むことができる。CoMP管理構成要素40に関する様々な機能は、モデム108および/またはプロセッサ103内に含まれてもよく、一態様では、単一のプロセッサによって実行されてもよく、他の態様では、機能のうちの異なるものは、2つ以上の異なるプロセッサの組合せによって実行されてもよい。たとえば、一態様では、1つまたは複数のプロセッサ103は、モデムプロセッサ、またはベースバンドプロセッサ、またはデジタル信号プロセッサ、または送信プロセッサ、またはトランシーバ106に関連するトランシーバプロセッサのうちの任意の1つまたは任意の組合せを含み得る。具体的には、1つまたは複数のプロセッサ103は、UE CoMP管理構成要素42および/またはTRP CoMP管理構成要素44を含む、CoMP管理構成要素40内に含まれる構成要素を実装し得る。
【００３０】
CoMP管理構成要素40、UE CoMP管理構成要素42、および/またはTRP CoMP管理構成要素44は、UE12に対するTRPのCoMPクラスタセット24の判定、およびTRPのCoMPクラスタセット24を使用してUE12に対する通信の協調を実行するためにプロセッサによって実行可能な、ハードウェア、ファームウェア、および/またはソフトウェアコードを含み得る。たとえば、ハードウェアは、たとえば、ハードウェアアクセラレータ、または専用プロセッサを含み得る。
【００３１】
さらに、一態様では、TRP14/20は、無線送信、たとえば、ワイヤレス通信26を受信および送信するためにRFフロントエンド104とトランシーバ106とを含んでよい。たとえば、トランシーバ106は、パイロット信号(たとえば、共通パイロットチャネル(CPICH))を含む信号を送信または受信し得る。トランシーバ106は、信号品質を判定し、TRP14/20にフィードバックを提供するために、受信されたパイロット信号を測定し得る。たとえば、トランシーバ106は、CoMP管理構成要素40によって生成されたメッセージを送信するために、およびメッセージを受信し、それらをCoMP管理構成要素40に転送するために、モデム108と通信してもよい。
【００３２】
RFフロントエンド104は、1つまたは複数のアンテナ102に接続されてもよく、RF信号を送信および受信するための、1つまたは複数の低雑音増幅器(LNA)141と、1つまたは複数のスイッチ142、143と、1つまたは複数の電力増幅器(PA)145と、1つまたは複数のフィルタ144とを含むことができる。一態様では、RFフロントエンド104の構成要素は、トランシーバ106に接続することができる。トランシーバ106は、1つまたは複数のモデム108およびプロセッサ103に通信可能に結合し得る。
【００３３】
一態様では、LNA141は、受信された信号を所望の出力レベルで増幅することができる。一態様では、各LNA141は、指定された最小および最大の利得値を有し得る。一態様では、RFフロントエンド104は、特定のアプリケーションの所望の利得値に基づいて特定のLNA141およびその指定された利得値を選択するために、1つまたは複数のスイッチ142、143を使用してもよい。一態様では、RFフロントエンド104は、測定値(たとえば、Ec/Io)および/または適用された利得値をCoMP管理構成要素40に提供することができる。
【００３４】
さらに、たとえば、1つまたは複数のPA145は、RF出力の信号を所望の出力電力レベルで増幅するために、RFフロントエンド104によって使用され得る。一態様では、各PA145は、指定された最小および最大の利得値を有し得る。一態様では、RFフロントエンド104は、特定のアプリケーションの所望の利得値に基づいて特定のPA145およびその指定された利得値を選択するために、1つまたは複数のスイッチ143、146を使用し得る。
【００３５】
また、たとえば、1つまたは複数のフィルタ144がRFフロントエンド104により使用されて、受信された信号をフィルタリングし、入力RF信号を取得することができる。同様に、一態様では、たとえば、それぞれのフィルタ144を使用して、それぞれのPA145からの出力をフィルタリングして送信用の出力信号を生成することができる。一態様では、各フィルタ144は、特定のLNA141および/またはPA145に接続され得る。一態様では、RFフロントエンド104は、1つまたは複数のスイッチ142、143、146を使用して、トランシーバ106および/またはプロセッサ103によって指定された構成に基づいて、指定されたフィルタ144、LNA141、および/またはPA145を使用して送信経路または受信経路を選択することができる。
【００３６】
トランシーバ106は、RFフロントエンド104を介して1つまたは複数のアンテナ102を通してワイヤレス信号を送信および受信するように構成され得る。一態様では、トランシーバは、TRP14/20が、たとえば、UE12と通信することができるように、指定された周波数で動作するように調整され得る。一態様では、たとえば、モデム108は、TRPのTRP構成およびモデム108によって使用される通信プロトコルに基づいて、指定された周波数および電力レベルで動作するようにトランシーバ106を構成することができる。
【００３７】
一態様では、モデム108は、マルチバンドマルチモードモデムとすることができ、このモデムは、デジタルデータがトランシーバ106を使用して送信および受信されるように、デジタルデータを処理し、トランシーバ106と通信することができる。一態様では、モデム108は、マルチバンドとすることができ、特定の通信プロトコルに対して複数の周波数帯域をサポートするように構成され得る。一態様では、モデム108は、マルチモードとすることができ、複数の動作ネットワークおよび通信プロトコルをサポートするように構成され得る。一態様では、モデム108は、指定されたモデム構成に基づいて信号の送信および/または受信を可能にするために、TRP14/20の1つまたは複数の構成要素(たとえば、RFフロントエンド104、トランシーバ106)を制御し得る。一態様では、モデム構成は、モデムのモードおよび使用中の周波数帯域に基づき得る。別の態様では、モデム構成は、セル選択および/またはセル再選択中にネットワークによって提供される、UE12に関連するUE構成情報に基づき得る。
【００３８】
TRP14またはTRP20は、本明細書で使用するデータおよび/またはアプリケーションのローカルバージョンを記憶するためなどのメモリ130、またはプロセッサ103によって実行されているCoMP管理構成要素40および/またはその下位構成要素のうちの1つまたは複数をさらに含み得る。メモリ130は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたはプロセッサ103によって使用可能な任意のタイプのコンピュータ可読媒体を含んでよい。一態様では、たとえば、メモリ130は、TRP14またはTRP20がCoMP管理構成要素40および/もしくはその下位構成要素のうちの1つまたは複数を実行するためにプロセッサ103を動作させているとき、CoMP管理構成要素40および/またはその下位構成要素のうちの1つまたは複数、ならびに/またはそれに関連するデータを定義する、1つまたは複数のコンピュータ実行可能コードを記憶するコンピュータ可読記憶媒体であり得る。別の態様では、たとえば、メモリ130は、非一時的コンピュータ可読記憶媒体であり得る。
【００３９】
図2Aおよび図2Bを参照すると、UEが異なるCoMPクラスタセットを有する例示的な通信ネットワークの図を示す。たとえば、図2Aでは、UE C206は、TRP2 224およびTRP3 226を備えたクラスタセット内にある。同様に、UE B204は、TRP1 222およびTRP2 224を備えたクラスタセット内にあり、UE D208は、TRP3 226およびTRP4 228を備えたクラスタセット内にある。図2Bでは、UE C206は、TRP1 222、TRP2 224、TRP3 226、およびTRP4 228を備えたクラスタセット内にある。UE B204およびUE D208は、図2Aに示すのと同じクラスタセット内にある。
【００４０】
従来の通信ネットワーク内のクラスタを判定する際、クラスタは、平均経路損失または平均RSRPなどの長期チャネル統計を使用して判定され得る。しかしながら、そのようなクラスタは、URLLCサービスまたは他のサービスが必要とする遅延バジェットおよび信頼性要件を満たさないことがある。たとえば、URLLCは、非常に低いレイテンシ、たとえば、0.5〜10msを有する10-5または10-6のパケットエラーレート(PER)を必要とする。URLLCの場合、HARQ手順およびCoMP方式は、URLLC要件を達成するためまたは満たすために重要である。たとえば、URLLCの低レイテンシ要件により、HARQ再送信の数が制限され得る。CoMP方式におけるURLLC信頼性要件を達成するかまたは満たすために、TRPセントリッククラスタリングよりも、UEセントリッククラスタリングが好まれる。TRPセントリッククラスタリングまたはネットワークセントリッククラスタリングでは、クラスタ化されたTRPのサービングエリア内のUEのすべてがそのクラスタ内のTRPのすべてまたはTRPのサブグループによってサービスされる場合、TRPはクラスタ化される。ネットワークセントリッククラスタリングは、特に、スケジューリングの点でUEセントリッククラスタリングよりも複雑性が低いが、クラスタエッジにおけるUEは、クラスタ内干渉を受ける。UEセントリッククラスタリングでは、TRPのその独自のクラスタが個々にUEに割り振られる。このクラスタリング方法は、より良好な信号対干渉雑音比(SINR)利得を提供し得るが、このクラスタリング方法は、特に、UEクラスタが互いに重複するスケジューリングおよびプリコーディング設計の点で、より高いバックホール容量を必要とし、より複雑である。複雑性を低減するために、UEセントリッククラスタリングは、ネットワーク全体ではなくTRPの小さなグループ単位で実装され得る。UEセントリッククラスタリングでは、所与のUEに対するCoMPクラスタセットを形成するためにM個の最も強力なTRPが使用され得る。
【００４１】
URLLC内でCoMPクラスタセットを形成するために、遅延バジェットおよび信頼性要件を使用して、CoMPクラスタセットを判定することができる。一態様では、遅延バジェットが相対的に非常に低い(しきい値未満、たとえば、1ms330)と見なされ、信頼性要件が相対的に厳しい(しきい値未満、たとえば、10-6PER)と見なされる場合、遅延バジェットおよび信頼性要件に基づいてCoMPクラスタセットが形成され得る。一態様では、遅延バジェットが相対的に適度である(しきい値を超える、たとえば、5ms)と見なされ、信頼性要件が相対的に非常に厳しい(しきい値未満、10-8PER)と見なされる場合、その遅延バジェットおよび信頼性要件に基づいて、より小さなクラスタが形成され得る。たとえば、図2Aは、10msの緩和された遅延バジェットおよび10-5PERの適度な信頼性要件を有するUE C206に対する2つのTRP(たとえば、TRP2 224およびTRP3 226)のクラスタセットの一例を示す。別の例では、図2Bは、4つのTRP(たとえば、TRP1 222、TRP2 224、TRP3 226、およびTRP4 228)のクラスタセットの一例を示す。したがって、小さな遅延バジェットは、より大きなクラスタサイズを必要とし、より小さなエラーレートは、一般に、より大きなクラスタサイズを必要とする。
【００４２】
クラスタサイズ(たとえば、CoMPクラスタセット24内のTRPの数)は、許可される再送信の数に基づいて調整され得る。一態様では、第1の送信および各再送信に対する信頼性要件は、信頼性要件全体および残りの遅延バジェット内で許可された後続の再送信の数に基づいて計算される。再送信用の残りの遅延バジェットは、すべての先行する第1の送信およびその再送信に関連する再送信に対して使用される時間を遅延バジェットから減算することによって判定され得る。残りの遅延バジェット内で許可される後続の再送信の数は、スロット構造、UE処理遅延、TRP処理遅延、バックホールレイテンシなどのうちの1つまたは複数に基づいて判定され得る。一例では、残りの遅延バジェット内で最大で2つの残りの再送信が可能である場合、再送信に対してさらに2つの機会が利用可能であるならば、現在の送信に対してそれほど厳しくない信頼性要件が使用され得る。別の例では、現在の送信が遅延バジェットに非常に近いので、再送信が利用可能でない場合、現在の送信に対して非常に厳しい信頼性要件が使用され得る。したがって、これらの2つの例では、第1の例に対するクラスタサイズは、第2の例に対するクラスタサイズよりも小さいことになるが、これは、第2の例は、より大きなCoMPクラスタセット24を使用することによって、再送信を許可せずに、現在の送信がより厳しい信頼性要件を満たすことができることを確実にするためである。より大きなCoMPクラスタセット24を使用することによって、UE12は、CoMPクラスタセット24内でTRPのうちの1つからパケットを受信するより高い確率を有する。
【００４３】
図3を参照すると、動作態様では、TRP14またはTRP20などのネットワークエンティティは、CoMPクラスタセットを判定するための方法300の1つまたは複数の態様を実行し得る。たとえば、プロセッサ103、メモリ130、モデム108、トランシーバ106(受信機32および/または送信機34を含む)、CoMP管理構成要素40、および/またはCoMP管理構成要素40の下位構成要素のうちの少なくとも1つの1つまたは複数は、方法300の1つまたは複数の態様を実行するように構成され得る。
【００４４】
一態様では、ブロック310において、方法300は、UEに対するTRPのCoMPクラスタセットを形成することを求める要求を受信するステップを含み得る。一態様では、たとえば、CoMP管理構成要素40および/またはUE CoMP管理構成要素42は、たとえば、プロセッサ103、メモリ130、モデム108、および/またはトランシーバ106のうちの1つまたは複数と連携して、UE12に対するTRPのCoMPクラスタセット24を形成することを求める要求を受信し得る。要求は、UE12、TRP14、TRP20、RAN内のエンティティ、中央装置、分散ユニット、コアネットワーク160内のエンティティ、または運用および管理(OAM)エンティティのうちの1つまたは複数から受信され得る。
【００４５】
一態様では、ブロック320において、方法300は、少なくとも遅延バジェットおよび信頼性要件、ならびに構成情報および測定値のうちの1つまたは複数に基づいて、UEに対するTRPのCoMPクラスタセットを判定するステップを含み得る。一態様では、たとえば、CoMP管理構成要素40および/またはUE CoMP管理構成要素42は、たとえば、プロセッサ103、メモリ130、モデム108、および/またはトランシーバ106のうちの1つまたは複数と連携して、少なくとも遅延バジェットおよび信頼性要件、ならびに構成情報および測定値のうちの1つまたは複数に基づいて、UE12に対するTRPのCoMPクラスタセット24を判定することができる。遅延バジェットは、エンドツーエンドレイテンシ要件、ジッタ要件、ラウンドトリップタイム要件、または生存時間要件のうちの1つまたは複数に基づき得る。信頼性要件は、PER要件および/または通信サービス可用性要件に基づく。信頼性要件は、通信のために使用される無線ベアラに関連する生存時間、1つまたは複数の先行パケット内のパケットエラーの数、または先行パケット内の連続パケットエラーの数のうちの1つまたは複数に基づき得る。構成情報および測定値は、現在のチャネル測定値または長期チャネル測定値を含み得る。チャネル測定値は、UE12に関連する、過去の経路損失、チャネル状態情報(CSI)、同期信号測定値、または基準信号測定値のうちの1つまたは複数を含み得る。
【００４６】
一態様では、ブロック330において、方法300は、UEに対して許可された後続の再送信の数、構成情報および測定値、遅延バジェットまたは信頼性要件のうちの1つまたは複数に基づいて、UEに対するTRPのCoMPクラスタセットを調整するステップを随意に含み得る。一態様では、たとえば、CoMP管理構成要素40および/またはUE CoMP管理構成要素42は、たとえば、プロセッサ103、メモリ130、モデム108、および/またはトランシーバ106のうちの1つまたは複数と連携して、UE12に対して許可される後続の再送信の数、構成情報および測定値、遅延バジェットまたは信頼性要件のうちの1つまたは複数に基づいて、UE12に対するTRPのCoMPクラスタセット24を調整することができる。TRPのCoMPクラスタセット24の調整は、スロット構造、UE処理遅延、TRP処理遅延、バックホールレイテンシのうちの1つまたは複数に基づき得る。一態様では、ブロック332において、方法300は、遅延バジェットが1つまたは複数の再送信を許可するとき、クラスタセット内のTRPの数を低減するステップを随意に含み得る。一態様では、たとえば、CoMP管理構成要素40および/またはUE CoMP管理構成要素42は、たとえば、プロセッサ103、メモリ130、モデム108、および/またはトランシーバ106のうちの1つまたは複数と連携して、遅延バジェットが1つまたは複数の再送信を許可するとき、クラスタセット24内のTRPの数を低減し得る。一態様では、ブロック334において、方法300は、遅延バジェットが1つまたは複数の再送信を許可しないとき、クラスタセット内のTRPの数を増大するステップを随意に含み得る。一態様では、たとえば、CoMP管理構成要素40および/またはUE CoMP管理構成要素42は、たとえば、プロセッサ103、メモリ130、モデム108、および/またはトランシーバ106のうちの1つまたは複数と連携して、遅延バジェットが1つまたは複数の再送信を許可しないとき、クラスタセット24内のTRPの数を増大し得る。
【００４７】
一態様では、ブロック340において、方法300は、CoMPクラスタセットを使用してUEに対する通信を協調させるステップを含み得る。一態様では、たとえば、CoMP管理構成要素40および/またはTRP CoMP管理構成要素44は、たとえば、プロセッサ103、メモリ130、モデム108、および/またはトランシーバ106のうちの1つまたは複数と連携して、CoMPクラスタセット24を使用してUE12に対する通信を協調させ得る。一態様では、TRP14またはTRP20などのネットワークエンティティは、UE12に同じパケットを通信するためのCoMPクラスタセット24内の他のTRPと協調し得る。たとえば、CoMPクラスタセット24内のTRPのすべては、同じパケットをUE12に送信し得る。別の例では、CoMPクラスタセット内のTRPのすべては、同じパケットをUE12から受信し得る。通信の協調は、TRPのうちの1つ、たとえば、マスタTRPによって、または代替としてコントローラなどのネットワークエンティティによって行われてよい。協調は、バックホールリンク132を通して、またはコアネットワーク160を介して行われてよい。
【００４８】
図4を参照すると、UE12の一実装形態の一例は、様々な構成要素を含んでよく、そのうちのいくつかが上記ですでに説明されているが、TRPのCoMPクラスタセット24とのUE12の協調された通信に関する、本明細書で説明する機能のうちの1つまたは複数を可能にするために、モデム408と連携して動作し得る、1つまたは複数のバス410を介して通信する、1つまたは複数のプロセッサ403およびメモリ430、ならびにトランシーバ406などの構成要素を含む。
【００４９】
トランシーバ406、受信機432、送信機434、1つまたは複数のプロセッサ403、メモリ430、バス410、RFフロントエンド404、LNA441、スイッチ443、フィルタ444、PA445、および1つまたは複数のアンテナ402は、上記で説明したように、TRP14/20の対応する構成要素と同じまたは同様であってよいが、TRP動作に対立するものとしてUE動作のために構成されるか、または他の方法でプログラムされることがある。
【００５０】
LTE/LTE-Aまたは5G通信システムを参照して、電気通信システムのいくつかの態様を提示してきた。当業者が容易に諒解するように、本開示全体にわたって説明した様々な態様は、他の電気通信システム、ネットワークアーキテクチャ、および通信規格に拡張され得る。
【００５１】
添付の図面に関して上記に記載した上記の詳細な説明は例について説明し、実装され得るかまたは特許請求の範囲内に入る唯一の例を表すものではない。「例示的」という用語は、本説明で使用されるとき、「例、事例、または例示として働くこと」を意味し、「好ましい」または「他の例よりも有利である」ことを意味しない。詳細な説明は、説明した技法の理解を与える目的で具体的な詳細を含む。しかしながら、これらの技法は、これらの具体的な詳細なしに実践され得る。いくつかの事例では、説明する例の概念を不明瞭にすることを回避するために、よく知られている構造および装置はブロック図の形態で示される。
【００５２】
情報および信号は、様々な異なる技術および技法のうちのいずれかを使用して表されてよい。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、コンピュータ可読媒体上に記憶されたコンピュータ実行可能コードもしくは命令、またはそれらの任意の組合せによって表されてよい。
【００５３】
本明細書の本開示に関して説明した様々な例示的なブロックおよび構成要素は、限定はしないが、プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せなどの、特別にプログラムされたデバイスを用いて実装または実行され得る。特別にプログラムされたプロセッサは、マイクロプロセッサであってもよいが、代替として、プロセッサは、任意の従来のプロセッサ、コントローラ、マイクロコントローラ、または状態機械であってもよい。特別にプログラムされたプロセッサはまた、コンピューティングデバイスの組合せ、たとえば、DSPとマイクロプロセッサの組合せ、複数のマイクロプロセッサ、DSPコアと連携する1つまたは複数のマイクロプロセッサ、または任意の他のそのような構成として実装され得る。
【００５４】
本明細書で説明した機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして非一時的コンピュータ可読媒体上に記憶されるか、または非一時的コンピュータ可読媒体を介して送信され得る。他の例および実装形態は、本開示および添付の特許請求の範囲の範囲および趣旨内にある。たとえば、ソフトウェアの性質に起因して、上記で説明した機能は、特別にプログラムされたプロセッサによって実行されるソフトウェア、ハードウェア、ファームウェア、ハードワイヤリング、またはこれらのいずれかの組合せを使用して実装され得る。機能を実装する特徴はまた、機能の部分が異なる物理的ロケーションにおいて実装されるように分散されることを含めて、様々な位置に物理的に配置されてよい。また、特許請求の範囲内を含めて本明細書で使用するとき、「のうちの少なくとも1つ」で終わる項目の列挙において使用される「または」は、たとえば、「A、B、またはCのうちの少なくとも1つ」という列挙がAまたはBまたはCまたはABまたはACまたはBCまたはABC(すなわち、AおよびBおよびC)を意味するような選言的列挙を示す。「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含み得る。
【００５５】
コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、RAM、ROM、EEPROM、CD-ROMまたは他の光ディスクストレージ、磁気ディスクストレージもしくは他の磁気記憶デバイス、または命令もしくはデータ構造の形態の所望のプログラムコード手段を搬送または記憶するために使用され得るとともに、汎用コンピュータもしくは専用コンピュータまたは汎用プロセッサもしくは専用プロセッサによってアクセスされ得る、任意の他の媒体を含み得る。また、あらゆる接続が、コンピュータ可読媒体と適切に呼ばれる。たとえば、ソフトウェアが、同軸ケーブル、光ファイバーケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバーケーブル、ツイストペア、DSL、または、赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ディスク(disk)は通常データを磁気的に再生し、ディスク(disc)はデータをレーザで光学的に再生する。上記の組合せもまた、コンピュータ可読媒体の範囲内に含まれる。
【００５６】
本開示の前述の説明は、当業者が本開示を作成または使用できるように与えられる。本開示の様々な修正は、当業者に容易に明らかになり、本明細書で定義する一般原理は、本開示の趣旨または範囲から逸脱することなく、他の変形形態に適用され得る。さらに、説明した態様および/または実施形態の要素は、単数形で説明または特許請求されることがあるが、単数形への限定が明示的に述べられていない限り複数形が企図される。追加として、任意の態様および/または実施形態のすべてまたは一部分は、別段に記載されていない限り、任意の他の態様および/または実施形態のすべてまたは一部分とともに利用され得る。したがって、本開示は、本明細書で説明した例および設計に限定されるべきではなく、本明細書で開示する原理および新規の特徴と一致する最も広い範囲が与えられるべきである。
【００５７】
いくつかのさらなる例示的な実施形態
ユーザ機器(UE)に対する送受信点(TRP)の協調マルチポイント(CoMP)クラスタセットを形成することを求める要求を受信するステップと、少なくとも遅延バジェットおよび信頼性要件、ならびに構成情報および測定値のうちの1つまたは複数に基づいて、UEに対するTRPのCoMPクラスタセットを判定するステップと、CoMPクラスタセットを使用してUEに対する通信を協調させるステップとを含む、ワイヤレス通信のための例示的な方法。
【００５８】
その要求が、UE、TRP、無線アクセスネットワーク(RAN)内のエンティティ、中央装置、分散ユニット、コアネットワーク内のエンティティ、または運用および管理(OAM)エンティティのうちの1つまたは複数から受信される、上記の例示的な方法。
【００５９】
遅延バジェットが、エンドツーエンドレイテンシ要件、ジッタ要件、ラウンドトリップタイム要件、または生存時間要件のうちの1つまたは複数に基づく、上記の例示的な方法のうちの1つまたは複数。
【００６０】
信頼性要件が、パケットエラーレート(PER)要件または通信サービス可用性要件のうちの1つまたは複数に基づく、上記の例示的な方法のうちの1つまたは複数。
【００６１】
信頼性要件が、パケットごとの、通信のために使用される無線ベアラに関連する生存時間、1つまたは複数の先行パケットのパケットエラーの数、または先行パケット内の連続パケットエラーの数のうちの1つまたは複数に基づく、上記の例示的な方法のうちの1つまたは複数。
【００６２】
UEに対して許可された後続の再送信の数、構成情報および測定値、遅延バジェットまたは信頼性要件のうちの1つまたは複数に基づいて、TRPのCoMPクラスタセットを調整するステップをさらに含む、上記の例示的な方法のうちの1つまたは複数。
【００６３】
TRPのCoMPクラスタセットが、スロット構造、UE処理遅延、TRP処理遅延、バックホールレイテンシのうちの1つまたは複数に基づく調整を使用して判定される、上記の例示的な方法。
【００６４】
調整が、遅延バジェットが1つまたは複数の後続の再送信を許可するとき、CoMPクラスタセット内のTRPの数の低減である、または、調整が、遅延バジェットが1つまたは複数の後続の再送信を許可しないとき、CoMPクラスタセット内のTRPの数の増大である、上記の例示的な方法。
【００６５】
UEに対して許可された後続の再送信の数、構成情報および測定値、遅延バジェットまたは信頼性要件のうちの1つまたは複数に基づいて、TRPのCoMPクラスタセットを調整するステップをさらに含み、構成情報および測定値が、現在のチャネル測定値または長期チャネル測定値のうちの1つまたは複数を含み、現在のチャネル測定値が、UEに関連する、経路損失、チャネル状態情報(CSI)、同期信号測定値、または基準信号測定値のうちの1つまたは複数を含み、長期チャネル測定値が、UEに関連する、過去の経路損失、チャネル状態情報(CSI)、同期信号測定値または基準信号測定値のうちの1つまたは複数を含む、上記の例示的な方法のうちの1つまたは複数。
【００６６】
CSIが、チャネル品質インジケータ(CQI)、プリコーディング行列インジケータ(PMI)、プリコーディングタイプインジケータ(PTI)、またはランク指示(RI)のうちの1つまたは複数を含む、および/もしくは同期信号測定値が、1次同期信号(PSS)測定値または2次同期信号(SSS)測定値のうちの1つまたは複数を含む、および/または基準信号測定値が、基準信号受信電力(RSRP)測定値、基準信号受信品質(RSRQ)測定値、または受信信号強度インジケータ(RSSI)のうちの1つまたは複数を含む、上記の例示的な方法。
【００６７】
メモリと、メモリに通信可能に結合されたプロセッサとを含む、ワイヤレス通信のための例示的なネットワークエンティティであって、プロセッサが、ユーザ機器(UE)に対する送受信点(TRP)の協調マルチポイント(CoMP)クラスタセットを形成することを求める要求を受信し、少なくとも遅延バジェットおよび信頼性要件、ならびに構成情報および測定値のうちの1つまたは複数に基づいて、UEに対するTRPのCoMPクラスタセットを判定し、CoMPクラスタセットを使用してUEに対する通信を協調させるように構成される、例示的なネットワークエンティティ。
【００６８】
その要求が、UE、TRP、無線アクセスネットワーク(RAN)内のエンティティ、中央装置、分散ユニット、コアネットワーク内のエンティティ、または運用および管理(OAM)エンティティのうちの1つまたは複数から受信される、上記の例示的なネットワークエンティティ。
【００６９】
遅延バジェットが、エンドツーエンドレイテンシ要件、ジッタ要件、ラウンドトリップタイム要件、または生存時間要件のうちの1つまたは複数に基づく、上記の例示的なネットワークエンティティのうちの1つまたは複数。
【００７０】
信頼性要件が、パケットエラーレート(PER)要件または通信サービス可用性要件のうちの1つまたは複数に基づく、上記の例示的なネットワークエンティティのうちの1つまたは複数。
【００７１】
信頼性要件が、パケットごとの、通信のために使用される無線ベアラに関連する生存時間、1つまたは複数の先行パケットのパケットエラーの数、または先行パケット内の連続パケットエラーの数のうちの1つまたは複数に基づく、上記の例示的なネットワークエンティティのうちの1つまたは複数。
【００７２】
プロセッサが、UEに対して許可された後続の再送信の数、構成情報および測定値、または遅延バジェットおよび信頼性要件のうちの1つまたは複数に基づいて、TRPのCoMPクラスタセットを調整するように構成される、上記の例示的なネットワークエンティティのうちの1つまたは複数。
【００７３】
TRPのCoMPクラスタセットが、スロット構造、UE処理遅延、TRP処理遅延またはバックホールレイテンシのうちの1つまたは複数に基づく調整を使用して判定される、上記の例示的なネットワークエンティティ。
【００７４】
調整が、遅延バジェットが1つまたは複数の後続の再送信を許可するとき、CoMPクラスタセット内のTRPの数の低減である、または、調整が、遅延バジェットが1つまたは複数の後続の再送信を許可しないとき、CoMPクラスタセット内のTRPの数の増大である、上記の例示的なネットワークエンティティ。
【００７５】
プロセッサが、UEに対して許可された後続の再送信の数、構成情報および測定値、または遅延バジェットおよび信頼性要件のうちの1つまたは複数に基づいて、TRPのCoMPクラスタセットの調整するように構成され、構成情報および測定値が、現在のチャネル測定値または長期チャネル測定値のうちの1つまたは複数を含み、現在のチャネル測定値が、UEに関連する、経路損失、チャネル状態情報(CSI)、同期信号測定値または基準信号測定値のうちの1つまたは複数を含み、長期チャネル測定値が、UEに関連する、過去の経路損失、チャネル状態情報(CSI)、同期信号測定値または基準信号測定値のうちの1つまたは複数を含む、上記の例示的なネットワークエンティティのうちの1つまたは複数。
【００７６】
CSIが、チャネル品質インジケータ(CQI)、プリコーディング行列インジケータ(PMI)、プリコーディングタイプインジケータ(PTI)、またはランク指示(RI)のうちの1つまたは複数を含む、および/もしくは同期信号測定値が、1次同期信号(PSS)測定値または2次同期信号(SSS)測定値のうちの1つまたは複数を含む、および/または基準信号測定値が、基準信号受信電力(RSRP)測定値、基準信号受信品質(RSRQ)測定値、または受信信号強度インジケータ(RSSI)のうちの1つまたは複数を含む、上記の例示的なネットワークエンティティ。
【００７７】
ネットワークエンティティのプロセッサによって実行されると、プロセッサに、ユーザ機器(UE)に対する送受信点(TRP)の協調マルチポイント(CoMP)クラスタセットを形成することを求める要求を受信させ、少なくとも遅延バジェットおよび信頼性要件、ならびに構成情報および測定値のうちの1つまたは複数に基づいて、UEに対するTRPのCoMPクラスタセットを判定させ、CoMPクラスタセットを使用してUEに対する通信を協調させる、コンピュータ実行可能コードを記憶した例示的な非一時的コンピュータ可読媒体。
【００７８】
その要求が、UE、TRP、無線アクセスネットワーク(RAN)内のエンティティ、中央装置、分散ユニット、コアネットワーク内のエンティティ、または運用および管理(OAM)エンティティのうちの1つまたは複数から受信される、上記の例示的な非一時的コンピュータ可読媒体。
【００７９】
遅延バジェットが、エンドツーエンドレイテンシ要件、ジッタ要件、ラウンドトリップタイム要件、または生存時間要件のうちの1つまたは複数に基づく、上記の例示的な非一時的コンピュータ可読媒体のうちの1つまたは複数。
【００８０】
信頼性要件が、パケットエラーレート(PER)要件または通信サービス可用性要件のうちの1つまたは複数に基づく、上記の例示的な非一時的コンピュータ可読媒体のうちの1つまたは複数。
【００８１】
信頼性要件が、パケットごとの、通信のために使用される無線ベアラに関連する生存時間、1つまたは複数の先行パケットのパケットエラーの数、または先行パケット内の連続パケットエラーの数のうちの1つまたは複数に基づく、上記の例示的な非一時的コンピュータ可読媒体のうちの1つまたは複数。
【００８２】
コードがさらに、プロセッサに、UEに対して許可された後続の再送信の数、構成情報および測定値、遅延バジェットまたは信頼性要件のうちの1つまたは複数に基づいて、TRPのCoMPクラスタセットを調整させる、上記の例示的な非一時的コンピュータ可読媒体のうちの1つまたは複数。
【００８３】
TRPのCoMPクラスタセットが、スロット構造、UE処理遅延、TRP処理遅延、バックホールレイテンシのうちの1つまたは複数に基づく調整を使用して判定される、上記の例示的な非一時的コンピュータ可読媒体。
【００８４】
調整が、遅延バジェットが1つまたは複数の後続の再送信を許可するとき、CoMPクラスタセット内のTRPの数の低減である、または、調整が、遅延バジェットが1つまたは複数の後続の再送信を許可しないとき、CoMPクラスタセット内のTRPの数の増大である、上記の例示的な非一時的コンピュータ可読媒体。
【００８５】
コードがさらに、プロセッサに、UEに対して許可された後続の再送信の数、構成情報および測定値、遅延バジェットまたは信頼性要件のうちの1つまたは複数に基づいて、TRPのCoMPクラスタセットを調整させ、構成情報および測定値が、現在のチャネル測定値または長期チャネル測定値のうちの1つまたは複数を含み、現在のチャネル測定値が、UEに関連する、経路損失、チャネル状態情報(CSI)、同期信号測定値または基準信号測定値のうちの1つまたは複数を含み、長期チャネル測定値が、UEに関連する、過去の経路損失、チャネル状態情報(CSI)、同期信号測定値または基準信号測定値のうちの1つまたは複数を含む、例示的な非一時的コンピュータ可読媒体のうちの1つまたは複数。
【００８６】
CSIが、チャネル品質インジケータ(CQI)、プリコーディング行列インジケータ(PMI)、プリコーディングタイプインジケータ(PTI)、またはランク指示(RI)のうちの1つまたは複数を含む、および/もしくは同期信号測定値が、1次同期信号(PSS)測定値または2次同期信号(SSS)測定値のうちの1つまたは複数を含む、および/または基準信号測定値が、基準信号受信電力(RSRP)測定値、基準信号受信品質(RSRQ)測定値、または受信信号強度インジケータ(RSSI)のうちの1つまたは複数を含む、上記の例示的な非一時的コンピュータ可読媒体。
【００８７】
ユーザ機器(UE)に対する送受信点(TRP)の協調マルチポイント(CoMP)クラスタセットを形成することを求める要求を受信するための手段と、少なくとも遅延バジェットおよび信頼性要件、ならびに構成情報および測定値のうちの1つまたは複数に基づいて、UEに対するTRPのCoMPクラスタセットを判定するための手段と、CoMPクラスタセットを使用してUEに対する通信を協調させるための手段とを含む、ワイヤレス通信のための第2の例示的なネットワークエンティティ。
【００８８】
その要求が、UE、TRP、無線アクセスネットワーク(RAN)内のエンティティ、中央装置、分散ユニット、コアネットワーク内のエンティティ、または運用および管理(OAM)エンティティのうちの1つまたは複数から受信される、上記の例示的なネットワークエンティティ。
【００８９】
遅延バジェットが、エンドツーエンドレイテンシ要件、ジッタ要件、ラウンドトリップタイム要件、または生存時間要件のうちの1つまたは複数に基づく、上記の例示的なネットワークエンティティのうちの1つまたは複数。
【００９０】
信頼性要件が、パケットエラーレート(PER)要件または通信サービス可用性要件のうちの1つまたは複数に基づく、上記の例示的なネットワークエンティティのうちの1つまたは複数。
【００９１】
信頼性要件が、パケットごとの、通信のために使用される無線ベアラに関連する生存時間、1つまたは複数の先行パケットのパケットエラーの数、または先行パケット内の連続パケットエラーの数のうちの1つまたは複数に基づく、上記の例示的なネットワークエンティティのうちの1つまたは複数。
【００９２】
UEに対して許可された後続の再送信の数、構成情報および測定値、または遅延バジェットおよび信頼性要件のうちの1つまたは複数に基づいて、TRPのCoMPクラスタセットを調整するための手段をさらに含む、上記の例示的なネットワークエンティティのうちの1つまたは複数。
【００９３】
TRPのCoMPクラスタセットが、スロット構造、UE処理遅延、TRP処理遅延またはバックホールレイテンシのうちの1つまたは複数に基づく調整を使用して判定される、上記の例示的なネットワークエンティティ。
【００９４】
調整が、遅延バジェットが1つまたは複数の後続の再送信を許可するとき、CoMPクラスタセット内のTRPの数の低減である、または、調整が、遅延バジェットが1つまたは複数の後続の再送信を許可しないとき、CoMPクラスタセット内のTRPの数の増大である、上記の例示的なネットワークエンティティ。
【００９５】
UEに対して許可された後続の再送信の数、構成情報および測定値、または遅延バジェットおよび信頼性要件のうちの1つまたは複数に基づいて、TRPのCoMPクラスタセットを調整するための手段をさらに含み、構成情報および測定値が、現在のチャネル測定値または長期チャネル測定値のうちの1つまたは複数を含み、現在のチャネル測定値が、UEに関連する、経路損失、チャネル状態情報(CSI)、同期信号測定値または基準信号測定値のうちの1つまたは複数を含み、長期チャネル測定値が、UEに関連する、過去の経路損失、チャネル状態情報(CSI)、同期信号測定値または基準信号測定値のうちの1つまたは複数を含む、上記の例示的なネットワークエンティティのうちの1つまたは複数。
【００９６】
CSIが、チャネル品質インジケータ(CQI)、プリコーディング行列インジケータ(PMI)、プリコーディングタイプインジケータ(PTI)、またはランク指示(RI)のうちの1つまたは複数を含む、および/もしくは同期信号測定値が、1次同期信号(PSS)測定値または2次同期信号(SSS)測定値のうちの1つまたは複数を含む、および/または基準信号測定値が、基準信号受信電力(RSRP)測定値、基準信号受信品質(RSRQ)測定値、または受信信号強度インジケータ(RSSI)のうちの1つまたは複数を含む、上記の例示的なネットワークエンティティ。
【符号の説明】
【００９７】
12  UE
14  TRP
20  TRP
24  CoMPクラスタセット
26  ワイヤレス通信
32  受信機
34  送信機
40  CoMP管理構成要素
42  UE CoMP管理構成要素
44  TRP CoMP管理構成要素
100  ワイヤレス通信システム
102  アンテナ
103  プロセッサ
104  RFフロントエンド
106  トランシーバ
108  モデム
110  バス
130  メモリ
132  バックホールリンク
141  低雑音増幅器(LNA)
142  スイッチ
143  スイッチ
144  フィルタ
145  電力増幅器(PA)
146  スイッチ
160  コアネットワーク
176  IPサービス
204  UE B
206  UE C
208  UE D
222  TRP1
224  TRP2
226  TRP3
228  TRP4
300  方法
402  アンテナ
403  プロセッサ
404  RFフロントエンド
406  トランシーバ
408  モデム
410  バス
430  メモリ
432  受信機
434  送信機
441  LNA
443  スイッチ
444  フィルタ
445  PA
【図１】
2021515458.tif 000003
【図２Ａ】
2021515458.tif 000004
【図２Ｂ】
2021515458.tif 000005
【図３】
2021515458.tif 000006
【図４】
2021515458.tif 000007
【国際調査報告】
2021515458.tif 000008
2021515458.tif 000009
2021515458.tif 000010